(57)【特許請求の範囲】
【請求項１】
ストラットのピストンロッドに固定される下側金具と、
前記下側金具よりピストンロッドの先端に向かう方向においてピストンロッドに着脱可能に固定されるリバウンドプレートと、
前記下側金具とピストンロッドとの間に配置され、車両本体に固定される本体金具と、
前記下側金具と前記本体金具とに介在するゴム部と、
前記ゴム部と別体にゴムで形成され、前記リバウンドプレートと前記本体金具との間に配置されるリバウンドストッパと、
を備え、
前記ゴム部は、前記下側金具および前記本体金具に接着されておらず、
前記リバウンドストッパは、前記本体金具および前記リバウンドプレートに接着されていないことを特徴とするストラットマウント構造。
【発明の詳細な説明】
【技術分野】
【０００１】
本発明はストラットマウント構造に関し、特に、ストラットのピストンロッドに固定される下側金具と車両本体に固定される本体金具とに介在するゴム部を有するストラットマウント構造に関する。
【背景技術】
【０００２】
例えば、ストッパゴム部の先端部に連続して該先端部から上側金具に向けて上方に延びる上部突出部と、下部ストッパゴム部の先端部に連続して該先端部から下側金具に向けて下方に延びる下部突出部とを備えることにより、打音発生を抑制するストラット上部のマウント構造が提案されている（例えば、特許文献１参照）。また、例えば、外筒及びゴム弾性体を車両前後方向に長い楕円形状となすとともに、該ゴム弾性体の上面から下向きに凹陥する形態で、外筒から内筒に向かって前後方向に延びる堀込部を設けることにより、上下および左右方向においては所要のバネ剛性を確保しつつ、前後且つこじり方向のばね特性を柔らかいものとなし得るストラットマウントが提案されている（例えば、特許文献２参照）。また、例えば、切欠部より下側のゴム本体部と、上壁部に対して上向きに当接する上側のストッパ部とを分けて構成することにより、軸直角方向のばね定数に対する軸方向のばね定数の比率を簡易に低減させるストラットマウントが提案されている（例えば、特許文献３参照）。
【特許文献１】特開平７−２６９６３１号公報
【特許文献２】特開２００５−１６１９０７号公報
【特許文献３】特開２００４−２３２８２４号公報
【発明の開示】
【発明が解決しようとする課題】
【０００３】
上述の特許文献のストラットマウント構造では、金具とゴム部とが加硫接着されている。このため、金具とゴム部とを加硫接着する工程が必要となるだけでなく、経時劣化に伴いゴム部を交換する場合において、接着された金具も一緒に交換する必要がある。
【０００４】
本発明はこうした課題に鑑みてなされたものであり、その目的は、構成する部材の製造工程を簡素なものとするとともに、保守コストを抑制するストラットマウント構造を提供することにある。
【課題を解決するための手段】
【０００５】
上記課題を解決するために、本発明のある態様のストラットマウント構造は、ストラットのピストンロッドに固定される下側金具と、下側金具よりピストンロッドの先端に向かう方向においてピストンロッドに着脱可能に固定されるリバウンドプレートと、下側金具とピストンロッドとの間に配置され、車両本体に固定される本体金具と、下側金具と本体金具とに介在するゴム部と、ゴム部と別体にゴムで形成され、リバウンドプレートと本体金具との間に配置されるリバウンドストッパと、を備える。ゴム部は、下側金具および本体金具に接着されておらず、リバウンドストッパは、本体金具およびリバウンドプレートに接着されていない。また、上記課題を解決するために、本発明のある態様のストラットマウント構造は、ストラットのピストンロッドに固定される下側金具と、下側金具よりピストンロッドの先端に向かう方向においてピストンロッドに着脱可能に固定されるリバウンドプレートと、下側金具とピストンロッドとの間に配置され、車両本体に固定される本体金具と、下側金具と本体金具とに介在する第１ゴム部と、リバウンドプレートと本体金具との間に配置されるリバウンドストッパを含む第２ゴム部と、が一体的に形成されて構成されるサポートゴムと、を備えてもよい。サポートゴムは、下側金具およびリバウンドプレートに接着されていなくてもよい。
【０００６】
この態様によれば、サポートゴムを金具に加硫接着する工程を省略することができ、製造コストを低減させることができる。また、リバウンドプレートを取り外すことによりサポートゴムだけを交換することができ、メンテナンスのためのコストも低減することができる。
【０００７】
第２ゴム部は、端部外周に径外向きに突出するリバウンドストッパが設けられた円筒状に形成され、リバウンドプレートをピストンロッドに取り付ける工程において、リバウンドプレートのプレート面で押圧されながら端部が径外向きに広がるよう変形することにより、リバウンドストッパがリバウンドプレートと本体金具との間に配置されてもよい。
【０００８】
この態様によれば、予め変形後の形状に形成しておく場合に比べ、本体金具に対するリバウンドプレートの動きに伴って第２ゴム部が柔軟に変形することができ、リバウンドプレートと本体金具との間の安定した緩衝を実現することができる。
【０００９】
第２ゴム部の、リバウンドストッパが形成される端部近傍の内周面には、径内向きに突出する小球突起が形成されていてもよい。この態様によれば、リバウンドプレートのプレート面で押圧されながら端部が径外向きに広がるよう変形するときに、小球突起がリバウンドプレートに対する局部面圧を増加させることによりリバウンドプレートと第２ゴム部内周面との摩擦力を適度なものとすることができ、ストラットマウント構造の組付性を向上させることができる。
【発明の効果】
【００１０】
本発明によれば、構成する部材の製造工程を簡素なものとするとともに、保守コストを抑制するストラットマウント構造を提供することができる。
【発明を実施するための最良の形態】
【００１１】
以下、図面を参照して本発明の実施の形態（以下、「実施形態」という。）について詳細に説明する。
【００１２】
図１は、本実施形態に係るサポートゴム１２の中心軸を含む断面図である。サポートゴム１２は、第１ゴム部１２ａと第２ゴム部１２ｂとが一体的に成形され構成されている。
【００１３】
第１ゴム部１２ａはドーナツ状に形成され、下方に断面が台形となる椀型の凹部が形成されている。第２ゴム部１２ｂは円筒状に形成され、上端部の外周に径外向きに突出するリバウンドストッパ１２ｃが設けられている。第２ゴム部１２ｂは、下端部において第１ゴム部１２ａの中央の孔部周辺に一体的に結合されている。第２ゴム部１２ｂの内周面の上端部近傍には、径内向きに突出する複数（本実施形態では６つ）の小球突起１２ｄが形成されている。
【００１４】
図２は、本実施形態に係るストラットマウント構造１０の中心軸を含む断面図である。ストラットマウント構造１０は、サポートゴム１２、スプリングシートブラケット１４、下側金具１６、本体金具１８、リバウンドプレート２０、およびピストンロッド２２を有する。
【００１５】
ピストンロッド２２は、ショックアブソーバ（図示せず）を構成する部材の一つであり、同じくショックアブソーバを構成するシリンダチューブ（図示せず）の一端に、所定ストローク量の挿入および抜き出しが可能に挿通されている。ショックアブソーバは、ピストンロッド２２が上方に位置した状態で上下方向に延びるよう、車両に搭載される。このとき、シリンダチューブは、下端部がナックルに固定される。ショックアブソーバの外周にはコイルスプリング（図示せず）が配置される。
【００１６】
スプリングシートブラケット１４は、椀型に形成されるよう板金がプレス成形されたものであり、中心に挿通孔が形成されている。スプリングシートブラケット１４は、開口側が下方に向くよう、挿通孔にピストンロッド２２が挿通される。このとき、スプリングシートブラケット１４の内面にコイルスプリングが当接する。
【００１７】
下側金具１６は、スプリングシートブラケット１４よりも小さい椀型に形成されるよう板金がプレス成形されたものであり、同じく中心に挿通孔が形成されている。下側金具１６は、挿通孔にピストンロッド２２が挿通され、ベアリング２４およびスペーサ２６を介してスプリングシートブラケット１４の上方に配置される。ピストンロッド２２の上端近傍には雄ネジ部が形成されており、下側金具１６は、第１ナット２８がピストンロッド２２の雄ネジ部に螺合されることによりピストンロッド２２に固定される。
【００１８】
サポートゴム１２の第１ゴム部１２ａの下面に設けられた椀型の凹部は、下側金具１６の上面と同一の形状となるよう形成されている。サポートゴム１２は、下面の凹部が下側金具１６の上面に嵌め込まれて下側金具１６上に載置される。本体金具１８は、上方に突出するようプレス成形された板金部材であり、突出部の下面はサポートゴム１２の第１ゴム部１２ａの上面と同一の形状となっている。突出部の中心には挿通孔が形成されており、本体金具１８は、挿通孔にピストンロッド２２が挿通され、突出部の下面がサポートゴム１２の第１ゴム部１２ａの上面に嵌め込まれてサポートゴム１２の上に載置される。このように、サポートゴム１２の第１ゴム部１２ａは、下側金具１６と本体金具１８との間に介在する。第１ゴム部１２ａは、車輪が凸部に乗り上げるなどによってピストンロッド２２に上昇する力が与えられたときに、本体金具１８に伝達される衝撃を緩和する緩衝材として機能する。
【００１９】
リバウンドプレート２０は、円盤状の板金の中央が厚み方向に凹むようプレス成形されて形成されている。リバウンドプレート２０の中央には挿通孔が設けられており、凹み部が下方に突出するように、ピストンロッド２２が挿通孔に挿通される。リバウンドプレート２０は、第２ナット３０がピストンロッド２２の雄ネジ部に螺合することによりピストンロッド２２に固定される。
【００２０】
このとき、第２ナット３０を締め付けるにしたがって、リバウンドプレート２０が下方へと押し込まれる。これに伴い、サポートゴム１２の第２ゴム部１２ｂは、リバウンドプレート２０の下面で押圧されながら上端部が径外向きに広がるよう変形することにより、リバウンドストッパ１２ｃがリバウンドプレート２０と本体金具１８との間に配置される。
【００２１】
サポートゴム１２がリバウンドプレート２０と本体金具１８との間に配置されることにより、例えば本体金具１８に対してリバウンドプレート２０が下降するようにピストンロッド２２に力が与えられた場合や、車両の姿勢の変化によって、リバウンドプレート２０に対して本体金具１８が傾いた場合においても、本体金具１８の上面がリバウンドストッパ１２ｃに当接して本体金具１８とリバウンドプレート２０とが直接当接することを回避することができる。このため、異音の発生や本体金具１８またはリバウンドプレート２０のいずれかの損傷を回避することができる。
【００２２】
なお、第２ゴム部１２ｂの先端部近傍の内周面に小球突起１２ｄが設けられることにより、第２ゴム部１２ｂがリバウンドプレート２０の下面で押圧されながら上述のように変形するときに、小球突起１２ｄの当接面積が小さくリバウンドプレート２０の下面に対する局部面圧が上昇することで、リバウンドプレート２０に対して第２ゴム部１２ｂの内面が滑りやすくなる。さらに、第２ナット３０を徐々に締め込んでいくことにより、第２ゴム部１２ｂの先端部分が徐々に径方向に広がっていくこと、およびリバウンドプレート２０の下面の圧力によって、小球突起１２ｄが少しずつつぶれ量が大きくなり、適度な組付性を実現することができることが、発明者の鋭意なる研究開発の結果明らかになっている。
【００２３】
以上の工程により、ストラットマウント構造１０が組み立てられる。このように、本実施形態に係るストラットマウント構造１０では、サポートゴム１２が下側金具１６、本体金具１８、およびリバウンドプレート２０のいずれにも加硫接着されていない。このため、サポートゴム１２をこれらの金属部材に加硫接着する工程を削除することができ、設備の大型化の抑制、製造時間の短縮、およびコストの低減を実現することができる。
【００２４】
また、サポートゴム１２はゴム材を使った弾性部材であるため、経時的に劣化する。例えば、サポートゴム１２が下側金具１６またはリバウンドプレート２０に加硫接着されている場合、サポートゴム１２の劣化により、下側金具１６またはリバウンドプレート２０も一緒に交換する必要が生じる。このようにサポートゴム１２を加硫接着しないことで、サポートゴム１２を下側金具１６およびリバウンドプレート２０から着脱可能とすることができる。これによって、サポートゴム１２が劣化した場合、第２ナット３０を取り外してリバウンドプレート２０を取り外すことにより、サポートゴム１２のみを交換することができる。このため、ストラットマウント構造１０の保守コストも抑制することができる。さらに、リバウンドプレート２０のゴム材料や、下側金具１６やリバウンドプレート２０などの金属材料をリサイクルする場合においても、金属材料とゴム材料とを容易に分離することができ、高いリサイクル容易性を実現することができる。
【００２５】
本発明は上述の実施形態に限定されるものではない。また、当業者の知識に基づいて各種の設計変更等の変形を上述の実施形態に対して加えることも可能であり、そのような変形が加えられた実施形態も本発明の範囲に含まれうる。以下、そうした例をあげる。
【００２６】
ある変形例では、第１ゴム部１２ａとリバウンドストッパ１２ｃとが別体に設けられている。第１ゴム部１２ａは、下側金具１６および本体金具１８の双方に加硫接着されていない。また、リバウンドストッパ１２ｃもリバウンドプレート２０に加硫接着されることなく、例えばラッチ構造やねじ止めなどで固定してリバウンドプレート２０に固定されてもよい。このように第１ゴム部１２ａとリバウンドストッパ１２ｃとを別体とすることで、第１ゴム部１２ａとリバウンドストッパ１２ｃのいずれかが経時的に劣化した場合に、劣化した方のみを交換することができる。
【図面の簡単な説明】
【００２７】
【図１】本実施形態に係るサポートゴムの中心軸を含む断面図である。
【図２】本実施形態に係るストラットマウント構造の中心軸を含む断面図である。
【符号の説明】
【００２８】
１０  ストラットマウント構造、  １２  サポートゴム、  １２ａ  第１ゴム部、  １２ｂ  第２ゴム部、  １２ｃ  リバウンドストッパ、  １２ｄ  小球突起、  １４  スプリングシートブラケット、  １６  下側金具、  １８  本体金具、  ２０  リバウンドプレート、  ２２  ピストンロッド、  ２４  ベアリング、  ２６  スペーサ、  ２８  第１ナット、  ３０  第２ナット。
【図１】
0004906635.tif 000002
【図２】
0004906635.tif 000003